(57)【要約】【課題】テープガイド部材の本数が少なく、磁気テープのねじり量を多くすることができる磁気記録再生装置を提供する。【解決手段】第２シャーシ手段が所定の位置にある時は、供給リールとシリンダとの間では第１テープガイド部材、第２テープガイド部材、および第３テープガイド部材のみが磁気テープをガイドするように、供給リール、第１テープガイド部材、第２テープガイド部材、第３テープガイド部材、およびシリンダが、供給リール、第１テープガイド部材、第２テープガイド部材、第３テープガイド部材、シリンダの順に並び、第１テープガイド部材は磁性面に接し、第２テープガイド部材は非磁性面に接し、第３テープガイド部材は非磁性面に接する。【選択図】図１
2004303402.tif 000002
【特許請求の範囲】
【請求項１】
磁性面と非磁性面とを有する磁気テープへの情報の記録および／または前記磁気テープからの情報の再生のためのシリンダと、
前記シリンダが設けられた第１シャーシ手段と、
前記第１シャーシ手段に対して移動可能に構成された第２シャーシ手段であって、前記磁気テープを供給する供給リールを含むカセットが装着可能に構成された第２シャーシ手段と、
第１テープガイド部材、第２テープガイド部材および第３テープガイド部材を含む少なくとも３つのテープガイド部材と
を備え、
前記第２シャーシ手段は、第１の位置と第２の位置との間を移動し、
前記第１の位置は、前記磁気テープへの情報の記録および／または前記磁気テープからの情報の再生が可能な位置であり、
前記第２の位置は、前記磁気テープへの情報の記録および／または前記磁気テープからの情報の再生が不可能な位置であり、
前記第２シャーシ手段が前記第１の位置にある時は、前記供給リールと前記シリンダとの間では前記第１テープガイド部材、前記第２テープガイド部材、および前記第３テープガイド部材のみが前記磁気テープをガイドするように、前記供給リール、前記第１テープガイド部材、前記第２テープガイド部材、前記第３テープガイド部材、および前記シリンダが、前記供給リール、前記第１テープガイド部材、前記第２テープガイド部材、前記第３テープガイド部材、前記シリンダの順に並び、
前記第２シャーシ手段が前記第１の位置にある時は、前記第１テープガイド部材は前記磁性面に接し、前記第２テープガイド部材は前記非磁性面に接し、前記第３テープガイド部材は前記非磁性面に接する、磁気記録再生装置。
【請求項２】
前記第２シャーシ手段が前記第１の位置にある時は、前記磁気テープが前記第２テープガイド部材に巻き付く角度は、１００度以上２００度以下であり、前記磁気テープが前記第３テープガイド部材に巻き付く角度は、４５度以上１３５度以下である、請求項１に記載の磁気記録再生装置。
【請求項３】
前記第２シャーシ手段が前記第１の位置にある時は、前記第２テープガイド部材の磁気テープ出射側接線と前記第３テープガイド部材の磁気テープ入射側接線とは、同一平面上にない、請求項２に記載の磁気記録再生装置。
【請求項４】
前記第２シャーシ手段が前記第１の位置にある時、磁気テープ巻回接線が磁気テープ進行方向に対して略垂直なポストを垂直ポストと定義し、磁気テープ巻回接線が磁気テープ進行方向に対して垂直でないポストを傾斜ポストと定義し、
前記第１テープガイド部材は垂直ポストであり、前記第２テープガイド部材は傾斜ポストであり、前記第３テープガイド部材は垂直ポストである、請求項３に記載の磁気記録再生装置。
【請求項５】
磁性面と非磁性面とを有する磁気テープへの情報の記録および／または前記磁気テープからの情報の再生のためのシリンダと、
前記シリンダが設けられた第１シャーシ手段と、
前記第１シャーシ手段に対してスライド可能に構成された第２シャーシ手段であって、前記磁気テープを供給する供給リールを含むカセットが装着可能に構成された第２シャーシ手段と、
第１テープガイド部材、第２テープガイド部材および第３テープガイド部材を含む少なくとも３つのテープガイド部材と
を備え、
前記第２シャーシ手段は、第１の位置と第２の位置との間を移動し、
前記第１の位置は、前記磁気テープへの情報の記録および／または前記磁気テープからの情報の再生が可能な位置であり、
前記第２の位置は、前記磁気テープへの情報の記録および／または前記磁気テープからの情報の再生が不可能な位置であり、
前記第２シャーシ手段が前記第１の位置にある時は、前記供給リールと前記シリンダとの間では前記第１テープガイド部材、前記第２テープガイド部材、および前記第３テープガイド部材のみが前記磁気テープをガイドするように、前記供給リール、前記第１テープガイド部材、前記第２テープガイド部材、前記第３テープガイド部材、および前記シリンダが、前記供給リール、前記第１テープガイド部材、前記第２テープガイド部材、前記第３テープガイド部材、前記シリンダの順に並び、
前記第２シャーシ手段が前記第１の位置にある時は、Ｌ１≧２Ｂであり、
前記Ｂは、前記磁気テープの幅を示し、
前記Ｌ１は、前記第２テープガイド部材の磁気テープ出射点と前記第３テープガイド部材の磁気テープ入射点との間の距離を示し、
前記第２テープガイド部材の前記磁気テープ出射点は、前記第２テープガイド部材の磁気テープ出射側接線と前記磁気テープの中心線との交点であり、
前記第３テープガイド部材の前記磁気テープ入射点は、前記第３テープガイド部材の磁気テープ入射側接線と前記磁気テープの前記中心線との交点である、磁気記録再生装置。
【請求項６】
前記第２シャーシ手段が前記第１の位置にある時は、前記第２テープガイド部材の前記磁気テープ出射側接線と前記第３テープガイド部材の前記磁気テープ入射側接線とは、同一平面上にない、請求項５に記載の磁気記録再生装置。
【請求項７】
前記磁気記録再生装置は、前記第２シャーシ手段が前記第１の位置にある場合には、Ｌ２≧２Ｂであり、
前記Ｌ２は、前記供給リールの磁気テープ出射点と前記第１テープガイド部材の磁気テープ入射点との間の距離を示し、
前記供給リールの前記磁気テープ出射点は、前記供給リールの磁気テープ出射側接線と前記磁気テープの前記中心線との交点であり、
前記第１テープガイド部材の前記磁気テープ入射点は、前記第１テープガイド部材の磁気テープ入射側接線と前記磁気テープの前記中心線との交点である、請求項６に記載の磁気記録再生装置。
【請求項８】
前記第２シャーシ手段が前記第１の位置にある時は、前記供給リールの前記磁気テープ出射側接線と前記第２テープガイド部材の前記磁気テープ入射側接線とは、同一平面上にない、請求項７に記載の磁気記録再生装置。
【請求項９】
磁性面と非磁性面とを有する磁気テープへの情報の記録および／または前記磁気テープからの情報の再生のためのシリンダと、
前記シリンダが設けられた第１シャーシ手段と、
前記第１シャーシ手段に対してスライド可能に構成された第２シャーシ手段であって、前記磁気テープを供給する供給リールを含むカセットが装着可能に構成された第２シャーシ手段と、
第１テープガイド部材、第２テープガイド部材および第３テープガイド部材を含む少なくとも３つのテープガイド部材と
を備え、
前記第２シャーシ手段は、第１の位置と第２の位置との間を移動し、
前記第１の位置は、前記磁気テープへの情報の記録および／または前記磁気テープからの情報の再生が可能な位置であり、
前記第２の位置は、前記磁気テープへの情報の記録および／または前記磁気テープからの情報の再生が不可能な位置であり、
前記第２シャーシ手段が前記第１の位置にある時は、前記供給リールと前記シリンダとの間では前記第１テープガイド部材、前記第２テープガイド部材、および前記第３テープガイド部材のみが前記磁気テープをガイドするように、前記供給リール、前記第１テープガイド部材、前記第２テープガイド部材、前記第３テープガイド部材、および前記シリンダが、前記供給リール、前記第１テープガイド部材、前記第２テープガイド部材、前記第３テープガイド部材、前記シリンダの順に並び、
前記第２シャーシ手段が前記第１の位置にある時は、前記第１テープガイド部材は前記磁性面に接し、前記第２テープガイド部材は前記非磁性面に接し、前記第３テープガイド部材は前記非磁性面に接し、
前記第２シャーシ手段が前記第１の位置にある時は、Ｌ１≧２Ｂであり、
前記Ｂは、前記磁気テープの幅を示し、
前記Ｌ１は、前記第２テープガイド部材の磁気テープ出射点と前記第３テープガイド部材の磁気テープ入射点との間の距離を示し、
前記第２テープガイド部材の前記磁気テープ出射点は、前記第２テープガイド部材の磁気テープ出射側接線と前記磁気テープの中心線との交点であり、
前記第３テープガイド部材の前記磁気テープ入射点は、前記第３テープガイド部材の磁気テープ入射側接線と前記磁気テープの前記中心線との交点であり、
前記第２シャーシ手段が前記第１の位置にある時は、前記第２テープガイド部材の前記磁気テープ出射側接線と前記第３テープガイド部材の前記磁気テープ入射側接線とは、同一平面上にない、磁気記録再生装置。
【発明の詳細な説明】
【技術分野】
【０００１】
本発明は、磁気テープへの情報の記録および／または磁気テープからの情報の再生が可能な磁気記録再生装置に関する。
【背景技術】
【０００２】
図７は、特開平１１−２７３１９４号公報に開示された従来の磁気記録再生装置７００を示す。
【０００３】
磁気記録再生装置７００は、メインシャーシ７０８と、メインシャーシ７０８に対してスライド可能に構成されたサブシャーシ７０３とを含む。サブシャーシ７０３は、磁気テープ７０１を格納したカセット７０２を装着可能に構成されている。
【０００４】
磁気記録再生装置７００は、シリンダ７３８と、Ｓリール台７０４と、Ｔリール台７０５と、キャプスタン７５０とをさらに含む。シリンダ７３８と、Ｓリール台７０４と、Ｔリール台７０５と、キャプスタン７５０とは、メインシャーシ７０８上に設けられている。
【０００５】
磁気記録再生装置７００は、複数のテープガイド部材をさらに含む。複数のテープガイド部材は、磁気テープ７０１をガイドする。複数のテープガイド部材は、テンションポスト７１４、Ｓ３ポスト７４９、Ｓ２ポスト７４４、Ｓ１ポスト７４５、Ｔ１ポスト７４６、Ｔ２ポスト７４７、Ｔ３ポスト７５１、およびＴ４ポスト７３０である。テンションポスト７１４は、例えば、磁気テープ７０１に適当な引張りを与えるため、およびカセット７０２から磁気テープ７０１を引き出すために設けられる。したがって、テンションポスト７１４は、磁気テープ７０１から大きな圧力を受ける。
【０００６】
サブシャーシ７０３がメインシャーシ７０８に対して移動し、さらに、複数のテープガイド部材のうちの少なくとも一つがメインシャーシ７０８に対して移動することによって、磁気テープ７０１はカセット７０２から引き出される。さらに、複数のテープガイド部材が磁気テープ７０１をガイドし、磁気テープ７０１をシリンダ７３８に巻回することによって、ＰＬＡＹモードのテープ走行パスが形成される。ＰＬＡＹモードのテープ走行パスは、磁気テープ７０１への情報の記録、磁気テープ７０１からの情報の再生、および磁気テープ７０１の早送りが可能なテープ走行パスである。
【０００７】
以下、ＰＬＡＹモードのテープ走行パスの詳細を説明する。
【０００８】
磁気テープ７０１は、カセット７０２に含まれた供給リール（図示せず）から供給される。供給リールから供給された磁気テープ７０１は、テンションポスト７１４、メインシャーシ７０８に設けられたＳ３ポスト７４９、Ｓ２ポスト７４４、およびＳ１ポスト７４５に順次巻回する。
【０００９】
さらに、磁気テープ７０１は、テープ記録パターンに関する規格に従って、所定の巻き付け角、所定の傾き角でシリンダ７３８に巻回する。磁気テープ７０１は、さらに、Ｔ１ポスト７４６、Ｔ２ポスト７４７、およびＴ３ポスト７５１に順次巻回する。
【００１０】
さらに、磁気テープ７０１は、キャプスタン７５０、およびＴ４ポスト７３０に順次巻回した後、カセット７０２に含まれた巻き取りリール（図示せず）に巻き取られる。
【特許文献１】特開平１１−２７３１９４号公報
【発明の開示】
【発明が解決しようとする課題】
【００１１】
しかし、ＰＬＡＹモードのテープ走行パスが形成されている時は、供給リールとシリンダ７３８との間ではテンションポスト７１４、Ｓ３ポスト７４９、Ｓ２ポスト７４４およびＳ１ポスト７４５が磁気テープ７０１をガイドする。
【００１２】
このように多くのテープガイド部材によって磁気テープ７０１をガイドするため、磁気テープ７０１とこれらのテープガイド部材との接触が多くなり、磁気テープ７０１とこれらのテープガイド部材との摩擦が増加する。したがって、磁気テープ走行時のテープテンションが増加する。その結果、テープ走行時に磁気テープ７０１が傷つきやすくなる。
【００１３】
さらに、このように多くのテープガイド部材によって磁気テープ７０１をガイドするため、これらのテープガイド部材の互いの間隔が短くなる。したがって、いわゆるねじりテープ走行パスの磁気記録再生装置では、磁気テープ７０１のねじり量を多くすることができない。その結果、テープ走行パスの設計の自由度が妨げられる。
【００１４】
このように多くのテープガイド部材によって磁気テープ７０１をガイドするため、これらのテープガイド部材の互いの間隔が短くなる。したがって、各テープガイド部材の傾き精度や位置精度のバラツキがテープの走行安定性に大きく影響を与える。その結果、各テープガイド部材の傾き精度や位置精度を高精度に実現しなければならず、装置の簡略化、装置の小型化、部品の低高価格化を妨げる。
【００１５】
さらに、磁気記録再生装置がメインシャーシと、メインシャーシに対してスライド可能に構成されたサブシャーシとを含む場合には、テープガイド部材の配置スペースが非常に少ないため、テープ走行パスの形成のために多くのテープガイド部材を必要とする構成は望まれない。
【００１６】
さらに、供給リールから供給された磁気テープ７０１は、他のテープガイド部材を介することなくテンションポスト７１４に巻回されるため、テンションポスト７１４の位置が安定しない。テンションポスト７１４は、シャーシ手段に対して可動であるために、この傾向は顕著である。したがって、磁気テープ７０１の走行安定性は著しく低下する。
【００１７】
本発明は、上記問題点に鑑みてなされたものであり、供給リールとシリンダとの間で必要なテープガイド部材を少なくすることができ、これらのテープガイド部材の互いの間隔を広くすることによってテープのねじり量を多くすることができる磁気記録再生装置を提供することを目的とする。
【課題を解決するための手段】
【００１８】
本発明の磁気記録再生装置は、磁性面と非磁性面とを有する磁気テープへの情報の記録および／または前記磁気テープからの情報の再生のためのシリンダと、前記シリンダが設けられた第１シャーシ手段と、前記第１シャーシ手段に対して移動可能に構成された第２シャーシ手段であって、前記磁気テープを供給する供給リールを含むカセットが装着可能に構成された第２シャーシ手段と、第１テープガイド部材、第２テープガイド部材および第３テープガイド部材を含む少なくとも３つのテープガイド部材とを備え、前記第２シャーシ手段は、第１の位置と第２の位置との間を移動し、前記第１の位置は、前記磁気テープへの情報の記録および／または前記磁気テープからの情報の再生が可能な位置であり、前記第２の位置は、前記磁気テープへの情報の記録および／または前記磁気テープからの情報の再生が不可能な位置であり、前記第２シャーシ手段が前記第１の位置にある時は、前記供給リールと前記シリンダとの間では前記第１テープガイド部材、前記第２テープガイド部材、および前記第３テープガイド部材のみが前記磁気テープをガイドするように、前記供給リール、前記第１テープガイド部材、前記第２テープガイド部材、前記第３テープガイド部材、および前記シリンダが、前記供給リール、前記第１テープガイド部材、前記第２テープガイド部材、前記第３テープガイド部材、前記シリンダの順に並び、前記第２シャーシ手段が前記第１の位置にある時は、前記第１テープガイド部材は前記磁性面に接し、前記第２テープガイド部材は前記非磁性面に接し、前記第３テープガイド部材は前記非磁性面に接し、これにより、上記目的が達成される。
【００１９】
前記第２シャーシ手段が前記第１の位置にある時は、前記磁気テープが前記第２テープガイド部材に巻き付く角度は、１００度以上２００度以下であり、前記磁気テープが前記第３テープガイド部材に巻き付く角度は、４５度以上１３５度以下でよい。
【００２０】
前記第２シャーシ手段が前記第１の位置にある時は、前記第２テープガイド部材の磁気テープ出射側接線と前記第３テープガイド部材の磁気テープ入射側接線とは、同一平面上になくてよい。
【００２１】
前記第２シャーシ手段が前記第１の位置にある時、磁気テープ巻回接線が磁気テープ進行方向に対して略垂直なポストを垂直ポストと定義し、磁気テープ巻回接線が磁気テープ進行方向に対して垂直でないポストを傾斜ポストと定義し、前記第１テープガイド部材は垂直ポストであり、前記第２テープガイド部材は傾斜ポストであり、前記第３テープガイド部材は垂直ポストでよい。
【００２２】
本発明の磁気記録再生装置は、磁性面と非磁性面とを有する磁気テープへの情報の記録および／または前記磁気テープからの情報の再生のためのシリンダと、前記シリンダが設けられた第１シャーシ手段と、前記第１シャーシ手段に対してスライド可能に構成された第２シャーシ手段であって、前記磁気テープを供給する供給リールを含むカセットが装着可能に構成された第２シャーシ手段と、第１テープガイド部材、第２テープガイド部材および第３テープガイド部材を含む少なくとも３つのテープガイド部材とを備え、前記第２シャーシ手段は、第１の位置と第２の位置との間を移動し、前記第１の位置は、前記磁気テープへの情報の記録および／または前記磁気テープからの情報の再生が可能な位置であり、前記第２の位置は、前記磁気テープへの情報の記録および／または前記磁気テープからの情報の再生が不可能な位置であり、前記第２シャーシ手段が前記第１の位置にある時は、前記供給リールと前記シリンダとの間では前記第１テープガイド部材、前記第２テープガイド部材、および前記第３テープガイド部材のみが前記磁気テープをガイドするように、前記供給リール、前記第１テープガイド部材、前記第２テープガイド部材、前記第３テープガイド部材、および前記シリンダが、前記供給リール、前記第１テープガイド部材、前記第２テープガイド部材、前記第３テープガイド部材、前記シリンダの順に並び、前記第２シャーシ手段が前記第１の位置にある時は、Ｌ１≧２Ｂであり、前記Ｂは、前記磁気テープの幅を示し、前記Ｌ１は、前記第２テープガイド部材の磁気テープ出射点と前記第３テープガイド部材の磁気テープ入射点との間の距離を示し、前記第２テープガイド部材の前記磁気テープ出射点は、前記第２テープガイド部材の磁気テープ出射側接線と前記磁気テープの中心線との交点であり、前記第３テープガイド部材の前記磁気テープ入射点は、前記第３テープガイド部材の磁気テープ入射側接線と前記磁気テープの前記中心線との交点であり、これにより、上記目的が達成される。
【００２３】
前記第２シャーシ手段が前記第１の位置にある時は、前記第２テープガイド部材の前記磁気テープ出射側接線と前記第３テープガイド部材の前記磁気テープ入射側接線とは、同一平面上になくてよい。
【００２４】
前記磁気記録再生装置は、前記第２シャーシ手段が前記第１の位置にある場合には、Ｌ２≧２Ｂであり、前記Ｌ２は、前記供給リールの磁気テープ出射点と前記第１テープガイド部材の磁気テープ入射点との間の距離を示し、前記供給リールの前記磁気テープ出射点は、前記供給リールの磁気テープ出射側接線と前記磁気テープの前記中心線との交点であり、前記第１テープガイド部材の前記磁気テープ入射点は、前記第１テープガイド部材の磁気テープ入射側接線と前記磁気テープの前記中心線との交点でよい。
【００２５】
前記第２シャーシ手段が前記第１の位置にある時は、前記供給リールの前記磁気テープ出射側接線と前記第２テープガイド部材の前記磁気テープ入射側接線とは、同一平面上になくてよい。
【００２６】
本発明の磁気記録再生装置は、磁性面と非磁性面とを有する磁気テープへの情報の記録および／または前記磁気テープからの情報の再生のためのシリンダと、前記シリンダが設けられた第１シャーシ手段と、前記第１シャーシ手段に対してスライド可能に構成された第２シャーシ手段であって、前記磁気テープを供給する供給リールを含むカセットが装着可能に構成された第２シャーシ手段と、第１テープガイド部材、第２テープガイド部材および第３テープガイド部材を含む少なくとも３つのテープガイド部材とを備え、前記第２シャーシ手段は、第１の位置と第２の位置との間を移動し、前記第１の位置は、前記磁気テープへの情報の記録および／または前記磁気テープからの情報の再生が可能な位置であり、前記第２の位置は、前記磁気テープへの情報の記録および／または前記磁気テープからの情報の再生が不可能な位置であり、前記第２シャーシ手段が前記第１の位置にある時は、前記供給リールと前記シリンダとの間では前記第１テープガイド部材、前記第２テープガイド部材、および前記第３テープガイド部材のみが前記磁気テープをガイドするように、前記供給リール、前記第１テープガイド部材、前記第２テープガイド部材、前記第３テープガイド部材、および前記シリンダが、前記供給リール、前記第１テープガイド部材、前記第２テープガイド部材、前記第３テープガイド部材、前記シリンダの順に並び、前記第２シャーシ手段が前記第１の位置にある時は、前記第１テープガイド部材は前記磁性面に接し、前記第２テープガイド部材は前記非磁性面に接し、前記第３テープガイド部材は前記非磁性面に接し、前記第２シャーシ手段が前記第１の位置にある時は、Ｌ１≧２Ｂであり、前記Ｂは、前記磁気テープの幅を示し、前記Ｌ１は、前記第２テープガイド部材の磁気テープ出射点と前記第３テープガイド部材の磁気テープ入射点との間の距離を示し、前記第２テープガイド部材の前記磁気テープ出射点は、前記第２テープガイド部材の磁気テープ出射側接線と前記磁気テープの中心線との交点であり、前記第３テープガイド部材の前記磁気テープ入射点は、前記第３テープガイド部材の磁気テープ入射側接線と前記磁気テープの前記中心線との交点であり、前記第２シャーシ手段が前記第１の位置にある時は、前記第２テープガイド部材の前記磁気テープ出射側接線と前記第３テープガイド部材の前記磁気テープ入射側接線とは、同一平面上になく、これにより、上記目的が達成される。
【発明の効果】
【００２７】
本発明の磁気記録再生装置によれば、供給リールとシリンダとの間では第１テープガイド部材、第２テープガイド部材、および第３テープガイド部材のみが磁気テープをガイドするように、供給リール、第１テープガイド部材、第２テープガイド部材、第３テープガイド部材、およびシリンダが、供給リール、第１テープガイド部材、第２テープガイド部材、第３テープガイド部材、シリンダの順に並び、第２シャーシ手段が第１の位置にある時は、第１テープガイド部材は磁気テープの磁性面に接し、第２テープガイド部材は非磁性面に接し、第３テープガイド部材は非磁性面に接する。
【００２８】
したがって、シリンダが設けられた第１シャーシ手段と、第１シャーシ手段に対してスライド可能に構成された第２シャーシ手段とを備えていても、供給リールとシリンダとの間のテープガイド部材の本数を少なくすることができる。
【００２９】
その結果、テープ走行時のテープテンションが増加することを防ぎ、テープ走行の安定化（例えば、（ｉ）テープダメージの発生がないこと、（ｉｉ）テープ走行中にテープ進行方向に対してテープの上下動がないこと、（ｉｉｉ）テープが座屈変形しないこと、（ｉｖ）シリンダと磁気テープとの接触圧が安定していること。）を実現することができる。
【００３０】
本発明の磁気記録再生装置によれば、第２シャーシ手段が第１の位置にある時は、Ｌ１≧２Ｂであり、Ｂは、磁気テープの幅を示し、Ｌ１は、第２テープガイド部材の磁気テープ出射点と第３テープガイド部材の磁気テープ入射点との間の距離を示す。
【００３１】
したがって、テープガイド部材間の間隔が長くなり、各テープガイド部材の傾き精度や位置精度のバラツキがテープの走行安定性に影響を及ぼさなくなる。
【００３２】
その結果、装置の簡略化、小型化、部品の低高価格化を実現することができる。さらに、テープガイド部材間の間隔が長くなり、テープのねじり量を多くすることができテープ走行パスの設計の自由度を大きくすることができる。
【発明を実施するための最良の形態】
【００３３】
以下、本発明の実施例について、図面を参照して説明する。
【００３４】
図１は、本発明の実施例における第１状態の磁気記録再生装置１００の構造を示す。
【００３５】
磁気記録再生装置１００は、メインシャーシ手段１と、シリンダ２と、磁気テープ５が格納されたカセット４が装着可能に構成されたサブシャーシ手段３と、複数のテープガイド部材とを含む。
【００３６】
第１状態は、磁気テープ５への情報の記録および／または磁気テープ５からの情報の再生が可能な状態である。例えば、使用者がカセット４をサブシャーシ手段３に装着した後、サブシャーシ手段３がシリンダ２の方向へ移動するとともに、複数のテープガイド部材が磁気テープ５をカセット４から引き出し、磁気テープ５をシリンダ２に所定角度巻回する。このように、磁気記録再生装置１００は、磁気テープ５への情報の記録および／または磁気テープ５からの情報の再生が可能な第１状態になる。
【００３７】
図１に示された矢印Ａは、磁気テープ５へ情報を記録する場合の磁気テープ５の走行方向を指す。
【００３８】
図２は、本発明の実施例における第２状態の磁気記録再生装置１００の構造を示す。
【００３９】
第２状態は、磁気テープ５への情報の記録および／または磁気テープ５からの情報の再生が不可能な状態である。例えば、第２状態では、使用者がカセット４をサブシャーシ手段３に着脱可能である。
【００４０】
以下に、図１および図２を参照して、磁気記録再生装置１００の構造の詳細を説明する。
【００４１】
磁気記録再生装置１００は、メインシャーシ手段１と、メインシャーシ手段１に設けられたシリンダ２と、磁気テープ５が格納されたカセット４が装着可能に構成されたサブシャーシ手段３と、複数のテープガイド部材とを含む。
【００４２】
メインシャーシ手段１は、シリンダ２方向に沿って往復移動するサブシャーシ手段３をガイドする。
【００４３】
シリンダ２は、磁性面と非磁性面とを有する磁気テープ５への情報の記録および／または磁気テープ５からの情報の再生を行う。
【００４４】
サブシャーシ手段３は、メインシャーシ手段１に対してスライド可能に構成されている。サブシャーシ手段３は、磁気記録再生装置１００が第１状態になった時のサブシャーシ手段３の位置（第１の位置）と、磁気記録再生装置１００が第２状態になった時のサブシャーシ手段３の位置（第２の位置）との間を移動する。
【００４５】
カセット４は、供給リール６と巻取リール７とを含む。磁気テープ５は、供給リール６と巻取リール７とに巻回されている。
【００４６】
複数のテープガイド部材は、例えば、第１テープガイド部材８、第２テープガイド部材９、第３テープガイド部材１０、第４テープガイド部材１１、第５テープガイド部材１２、第６テープガイド部材１３である。
【００４７】
第１テープガイド部材８は、サブシャーシ手段３に固定されている。
【００４８】
磁気記録再生装置１００は、第１アーム９ａと回動軸９ｂとをさらに含む。
【００４９】
第２テープガイド部材９は、第１アーム９ａに設けられている。回動軸９ｂは、サブシャーシ手段３に設けられている。回動軸９ｂは、第１アーム９ａを回動可能に支持する。駆動手段（図示せず）は、サブシャーシ手段３の第２の位置から第１の位置への移動にともなって第２テープガイド部材９が第２状態の第２テープガイド部材９の位置から第１状態の第２テープガイド部材９の位置に移動するように、第１アーム９ａを駆動する。
【００５０】
磁気記録再生装置１００は、第１テープガイド移動部材１０ａをさらに含む。
【００５１】
第３テープガイド部材１０は、第１テープガイド移動部材１０ａに設けられている。駆動手段（図示せず）は、サブシャーシ手段３の第２の位置から第１の位置への移動にともなって第３テープガイド部材１０が第２状態の第３テープガイド部材１０の位置から第１状態の第３テープガイド部材１０の位置に移動するように、第１テープガイド移動部材１０ａを駆動する。
【００５２】
磁気記録再生装置１００は、第２テープガイド移動部材１１ａをさらに含む。
【００５３】
第４テープガイド部材１１と第５テープガイド部材１２とは、第２テープガイド移動部材１１ａに設けられている。駆動手段（図示せず）は、サブシャーシ手段３の第２の位置から第１の位置への移動にともなって第４テープガイド部材１１と第５テープガイド部材１２とが第２状態の第４テープガイド部材１１と第５テープガイド部材１２との位置から第１状態の第４テープガイド部材１１と第５テープガイド部材１２との位置に移動するように、第２テープガイド移動部材１１ａを駆動する。
【００５４】
磁気記録再生装置１００は、第２アーム１３ａと回動軸１３ｂとをさらに含む。
【００５５】
第６テープガイド部材１３は、第２アーム１３ａに設けられている。回動軸１３ｂは、サブシャーシ手段３に設けられている。回動軸１３ｂは、第２アーム１３ａを回動可能に支持する。駆動手段（図示せず）は、サブシャーシ手段３の第２の位置から第１の位置への移動にともなって第６テープガイド部材１３が第２状態の第６テープガイド部材１３の位置から第１状態の第６テープガイド部材１３の位置に移動するように、第２アーム１３ａを駆動する。
【００５６】
磁気記録再生装置１００は、キャプスタン１４をさらに含む。
【００５７】
キャプスタン１４は、メインシャーシ手段１に設けられている。ピンチローラ（図示せず）は、磁気テープ５をキャプスタン１４に押圧する。キャプスタン１４は、磁気テープ５が走行するように磁気テープ５を駆動する。
【００５８】
サブシャーシ手段３が第２の位置から第１の位置に移動することによって、第１テープガイド部材８、第２テープガイド部材９、第３テープガイド部材１０、第４テープガイド部材１１、第５テープガイド部材１２、および第６テープガイド部材１３は協働してカセット４からテープ５を引き出し、シリンダ２とキャプスタン１４とにテープ５を巻回する。
【００５９】
サブシャーシ手段３が第１の位置にある時は、供給リール６とシリンダ２との間では第１テープガイド部材８、第２テープガイド部材９、および第３テープガイド部材１０のみが磁気テープ５をガイドするように、供給リール６、第１テープガイド部材８、第２テープガイド部材９、第３テープガイド部材１０、およびシリンダ２が、供給リール６、第１テープガイド部材８、第２テープガイド部材９、第３テープガイド部材１０、シリンダ２の順に並ぶ。
【００６０】
供給リール６から供給された磁気テープ５は、他のテープガイド部材を介することなく、サブシャーシ手段３に固定されている第１テープガイド部材８に巻回されるため、磁気テープ５の走行安定性は向上する。
【００６１】
サブシャーシ手段３が第１の位置にある時は、第１テープガイド部材８は磁気テープ５の磁性面に接し、第２テープガイド部材９は非磁性面に接し、第３テープガイド部材１０は非磁性面に接する。
【００６２】
磁気テープ５の非磁気面に接するテープガイド部材（第２テープガイド部材９および第３テープガイド部材１０）は、磁気テープ５をカセット４から引き出すために、サブシャーシ手段３に対して移動可能である。
【００６３】
図３は、第２テープガイド部材９に対する磁気テープ５のテープ巻付け角を示す。図３は、サブシャーシ手段３が第１の位置にある時の第２テープガイド部材９の軸方向から見た図である。角度Ｇは、第２テープガイド部材９に対する磁気テープ５のテープ巻付け角である。例えば、磁気テープ５が第２テープガイド部材９に巻き付く角度Ｇは、１００度以上２００度以下である。
【００６４】
図４は、第３テープガイド部材１０に対する磁気テープ５のテープ巻付け角を示す。図４は、サブシャーシ手段３が第１の位置にある時の第３テープガイド部材１０の軸方向から見た図である。角度Ｃは、第３テープガイド部材１０に対する磁気テープ５のテープ巻付け角である。例えば、磁気テープ５が第３テープガイド部材１０に巻き付く角度Ｃは、４５度以上１３５度以下である。
【００６５】
以下、サブシャーシ手段３が第１の位置にある時の垂直ポストと傾斜ポストとについて説明する。
【００６６】
垂直ポストは、テープ走行方向に対して垂直である。すなわち、垂直ポストに磁気テープ５を巻回した場合、磁気テープ５のポスト入射前と入射後では、磁気テープ５の中心線の高さおよび磁気テープ５の面の傾きは変化しない。
【００６７】
傾斜ポストは、テープ走行方向に対して垂直でない。すなわち、傾斜ポストに磁気テープ５を巻回した場合、磁気テープ５のポスト入射前と入射後では、磁気テープ５の中心線の高さおよび磁気テープ５の面の傾きは変化する。磁気テープ５の中心線の高さおよび磁気テープ５の面の傾きの変化量は、（ｉ）傾斜ポストと入射するテープ走行方向との角度（ポストへのテープ入射角度）、（ｉｉ）傾斜ポストへのテープの巻回角度に基づく。
【００６８】
なお、カセット４の内部では、磁気テープ５の中心線の高さと、供給リール６の高さと、巻取りリール７の高さとは、同じある。また、カセット４の内では、磁気テープ５の面の傾きは、テープ走行方向に対して垂直である。例えば、ヘリカルスキャン方式のＶＴＲでは、磁気テープ５を所定の角度傾けて、磁気テープ５をシリンダ２に巻回する。
【００６９】
サブシャーシ手段３が第１の位置にある時は、第１テープガイド部材８と磁気テープ５との巻回接線が磁気テープ進行方向に対して略垂直に交わる。すなわち、第１テープガイド部材８は、垂直ポストである。
【００７０】
サブシャーシ手段３が第１の位置にある時は、第２テープガイド部材と９磁気テープ５との巻回接線が磁気テープ進行方向に対して斜めに交わる。すなわち、第２テープガイド部材９は、傾斜ポストである。
【００７１】
サブシャーシ手段３が第１の位置にある時は、第３テープガイド部材１０と磁気テープ５との巻回接線が磁気テープ進行方向に対して略垂直に交わる。すなわち、第３テープガイド部材１０は、垂直ポストである。
【００７２】
図５は、サブシャーシ手段３が第１の位置にある時の第２テープガイド部材９と第３テープガイド部材１０との間の距離および第２テープガイド部材９と第３テープガイド部材１０との巻回接線の関係を示す。巻回接線の関係は、図１に示された矢印Ｄによって指された方向から見た第２テープガイド部材９と第３テープガイド部材１０との巻回接線の関係である。
【００７３】
図５において、磁気テープ５は、矢印Ａの方向に走行している。参照符号５ａは、磁気テープ５と第２テープガイド部材９との巻回接線、すなわち磁気テープ５と第２テープガイド部材９との接触領域の端部を示す。磁気テープ５は、巻回接線５ａまで第２テープガイド部材９に巻付き、巻回接線５ａで第２テープガイド部材９から離れるため、巻回接線５ａは、第２テープガイド部材９の磁気テープ出射側接線５ａでもある。言い換えれば、磁気テープ出射側接線５ａは、第２テープガイド部材９の下流側の磁気テープ５の巻回接線である。
【００７４】
参照符号５ｂは、磁気テープ５と第３テープガイド部材１０との巻回接線、すなわち磁気テープ５と第３テープガイド部材１０との接触領域の端部を示す。磁気テープ５は、巻回接線５ｂから第３テープガイド部材１０に巻付くため、すなわち巻回接線５ｂから第３テープガイド部材１０に接触するため、巻回接線５ｂは、第３テープガイド部材１０の磁気テープ入射側接線５ｂでもある。言い換えれば、磁気テープ入射側接線５ｂは、第３テープガイド部材１０の上流側の磁気テープ５の巻回接線である。
【００７５】
参照符号５Ａは、第２テープガイド部材９の磁気テープ出射側接線５ａと磁気テープ５の中心線５Ｃとの交点であり、第２テープガイド部材９の磁気テープ出射点５Ａを示す。参照符号５Ｂは、第３テープガイド部材１０の磁気テープ入射側接線５ｂと磁気テープ５の中心線５Ｃとの交点であり、第３テープガイド部材１０の磁気テープ入射点５Ｂを示す。
【００７６】
第２テープガイド部材９と第３テープガイド部材１０との間には、Ｌ２３≧２Ｂの関係がある。幅Ｂは、磁気テープ５の幅であり、距離Ｌ２３は、第２テープガイド部材９の磁気テープ出射点５Ａと第３テープガイド部材１０の磁気テープ入射点５Ｂとの間の距離である。
【００７７】
第２テープガイド部材９の磁気テープ出射側接線５ａと、第３テープガイド部材１０の磁気テープ入射側接線５ｂとは、同一平面上になく、互いに異なった平面上にある。磁気テープ５が第２テープガイド部材９の磁気テープ出射側接線５ａと第３テープガイド部材１０の磁気テープ入射側接線５ｂとの間でねじれているからである。Ｌ２３≧２Ｂの関係が満たされる場合、第２テープガイド部材９と第３テープガイド部材１０との間でテープ走行安定性を損なわずに、十分なねじり量（２ｄｅｇ以上）を確保できることが実験的に確認できた。
【００７８】
なお、磁気テープ出射側接線５ａと磁気テープ入射側接線５ｂとの間のねじれについては、図６を参照して、さらに詳細に説明する。
【００７９】
なお、供給リール６と第１テープガイド部材８との間には、Ｌ０１≧２Ｂの関係があることがさらに好ましい。幅Ｂは、磁気テープ５の幅であり、距離Ｌ０１は、供給リール６の磁気テープ出射点と第１テープガイド部材８の磁気テープ入射点との間の距離である。なお、供給リール６の磁気テープ出射点は、供給リール６の磁気テープ出射側接線と磁気テープ５の中心線５Ｃとの交点であり、第１テープガイド部材８の磁気テープ入射点は、第１テープガイド部材８の磁気テープ入射側接線と磁気テープ５の中心線５Ｃとの交点である。
【００８０】
供給リール６の磁気テープ出射側接線（供給リールのテープ下流側のテープ巻回接線）と、第２テープガイド部材９の磁気テープ入射側接線（第２テープガイド部材９のテープ上流側のテープ巻回接線）とは、同一平面上になく、互いに異なった平面上にある。磁気テープ５が供給リール６の磁気テープ出射側接線と第２テープガイド部材９の磁気テープ入射側接線との間でねじれているからである。
【００８１】
Ｌ０１≧２Ｂの関係が満たされる場合、供給リール６と第２テープガイド部材９との間でテープ走行安定性を損なわずに、十分なねじり量（２ｄｅｇ以上）を確保できることが実験的に確認できた。
【００８２】
２つのポスト間の距離Ｌ（例えば、供給リール６の磁気テープ出射点と第１テープガイド部材８の磁気テープ入射点との間の距離Ｌ０１、第２テープガイド部材９の磁気テープ出射点と第３テープガイド部材１０の磁気テープ入射点との間の距離Ｌ２３）が大きい場合には、各ポストの位置および各ポストの傾きが所望の位置および所望の傾きから大きくズレたとしても、磁気テープ５の走行安定性を保つことができる。
【００８３】
図６は、本発明の実施例の第１状態の位置にある第２テープガイド部材９と第３テープガイド部材１０との位置関係を示す。この位置関係は、図５に示された矢印Ｅによって指された方向から見た第２テープガイド部材９と第３テープガイド部材１０との位置関係である。
【００８４】
角度Ｆは、第２テープガイド部材９と第３テープガイド部材１０との相対角度である。磁気テープ５は、第２テープガイド部材９と第３テープガイド部材１０との間で、角度Ｆだけねじられている。
【００８５】
２つのポスト間の距離Ｌが大きいときは、２つのポスト間で磁気テープ５をねじることができる。２つのポスト間の磁気テープ５のねじり量（ねじり角度）に応じて、ポスト入射前とポスト入射後とで、磁気テープ中心線の高さ、磁気テープ面の傾きを変化できる。
【００８６】
このように、磁気テープ５をねじることにより、垂直ポストおよび傾斜ポストではできなかったテープ走行パスの設計が可能になる。テープねじり量を多くする場合には、テープ走行パスの設計の自由度は大きくなり、従来よりテープガイド部材の本数を少なくできる。
【００８７】
以上、図面を参照して、本発明の実施例を説明した。
【００８８】
本発明の実施例の説明で参照された図面では、テープガイド部材間の巻回接線の関係をより明確にするため、各テープガイド部材へのテープの巻き付け角やテープガイド部材の傾斜角等が誇張されて図示されている。
【００８９】
本発明の実施例では、第１テープガイド部材８はサブシャーシ手段３に直接設けられているが、第２テープガイド部材９が第１アーム９ａを介してサブシャーシ手段３に設けられているように、第１テープガイド部材８が他の部品を介してサブシャーシ手段３に設けられてもよい。
【００９０】
本発明の磁気記録再生装置１００においては、第２テープガイド部材９と第３テープガイド部材１０以外の隣接したテープガイド部材、供給リール６および巻取リール７と磁気テープ５との巻回接線が同一平面上にあるか否かは問わない。
【００９１】
本発明の磁気記録再生装置によれば、供給リールとシリンダとの間では第１テープガイド部材、第２テープガイド部材、および第３テープガイド部材のみが磁気テープをガイドするように、供給リール、第１テープガイド部材、第２テープガイド部材、第３テープガイド部材、およびシリンダが、供給リール、第１テープガイド部材、第２テープガイド部材、第３テープガイド部材、シリンダの順に並び、第２シャーシ手段が第１の位置にある時は、第１テープガイド部材は磁気テープの磁性面に接し、第２テープガイド部材は非磁性面に接し、第３テープガイド部材は非磁性面に接する。
したがって、シリンダが設けられた第１シャーシ手段と、第１シャーシ手段に対してスライド可能に構成された第２シャーシ手段とを備えていても、供給リールとシリンダとの間のテープガイド部材の本数を少なくすることができる。
【００９２】
その結果、テープ走行時のテープテンションが増加することを防ぎ、テープ走行の安定化を実現することができる。
【００９３】
本発明の磁気記録再生装置によれば、第２シャーシ手段が第１の位置にある時は、Ｌ１≧２Ｂであり、Ｂは、磁気テープの幅を示し、Ｌ１は、第２テープガイド部材の磁気テープ出射点と第３テープガイド部材の磁気テープ入射点との間の距離を示す。
【００９４】
したがって、テープガイド部材間の間隔が長くなり、各テープガイド部材の傾き精度や位置精度のバラツキがテープの走行安定性に影響を及ぼさなくなる。
【００９５】
その結果、装置の簡略化、小型化、部品の低高価格化を実現することができる。さらに、テープガイド部材間の間隔が長くなり、テープのねじり量を多くすることができテープ走行パスの設計の自由度を大きくすることができる。
【００９６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００９７】
【図１】本発明の実施例における第１状態の磁気記録再生装置１００の構造を示す図である。
【図２】本発明の実施例における第２状態の磁気記録再生装置１００の構造を示す図である。
【図３】第２テープガイド部材９に対する磁気テープ５のテープ巻付け角を示す図である。
【図４】磁気テープ５の第３テープガイド部材１０に対するテープ巻付け角を示す図である。
【図５】サブシャーシ手段３が第１の位置にある時の第２テープガイド部材９と第３テープガイド部材１０との間の距離および第２テープガイド部材９と第３テープガイド部材１０との巻回接線の関係を示す図である。
【図６】本発明の実施例の第１状態の位置にある第２テープガイド部材９と第３テープガイド部材１０との位置関係を示す図である。
【図７】特開平１１−２７３１９４号公報に開示された従来の磁気記録再生装置７００を示す図である。
【符号の説明】
【００９８】
１  メインシャーシ手段
２  シリンダ
３  サブシャーシ手段
４  カセット
５  磁気テープ
６  供給リール
７  巻取リール
８  第１テープガイド部材
９  第２テープガイド部材
９ａ  第１アーム
９ｂ  回動軸
１０  第３テープガイド部材
１０ａ  第１テープガイド移動部材
１１  第４テープガイド部材
１１ａ  第２テープガイド移動部材
１２  第５テープガイド部材
１３  第６テープガイド部材
１３ａ  第２アーム
１３ｂ  回動軸
１４  キャプスタン
１００  磁気記録再生装置
【図１】
2004303402.tif 000003
【図２】
2004303402.tif 000004
【図３】
2004303402.tif 000005
【図４】
2004303402.tif 000006
【図５】
2004303402.tif 000007
【図６】
2004303402.tif 000008
【図７】
2004303402.tif 000009